【事件の表示】
　特願２０１０−５４４４２８「スケジューリングされた配送ウィンドウを用いた効率的なブロードキャストエンタイトルメントマネージメントメッセージ配送機構」拒絶査定不服審判事件〔平成２１年　７月３０日国際公開，ＷＯ２００９／０９４５０２，平成２３年　５月　６日国内公表，特表２０１１−５１４７０３〕について，次のとおり審決する。
【結　論】
　本件審判の請求は，成り立たない。
【理　由】
第１．手続の経緯
　本願は，２００９年１月２３日（パリ条約による優先権主張外国庁受理２００８年１月２４日，２００９年１月２２日　アメリカ合衆国）を国際出願日とする出願であって，
　平成２２年８月２４日付けで特許法第１８４条の４第１項の規定による明細書，請求の範囲，及び，図面（図面の中の説明に限る）の日本語による翻訳文が提出されると共に審査請求がなされ，平成２４年４月４日付けで審査官により拒絶理由が通知され，これに対して平成２４年８月１６日付けで意見書が提出されると共に手続補正がなされたが，平成２４年９月１４日付けで審査官により拒絶査定がなされ（発送；平成２４年９月２５日），これに対して平成２５年１月２５日付けで審判請求がなされたものである。
　
第２．本願発明について
　本願の請求項２０に係る発明（以下，これを「本願発明」という）は，平成２４年８月１６日付けの手続補正により補正された特許請求の範囲の請求項２０に記載された，次のとおりのものである。
　
「通信デバイスが通信システムにおいてエンタイトルメントマネージメントメッセージ（ＥＭＭ）を入手するための方法であって，
　通信デバイスにおいて及び配信システムから，通信デバイスの複数のグループのうちの識別されたグループのためのＥＭＭブロードキャストウィンドウを受信することと，ここにおいて，前記ＥＭＭブロードキャストウィンドウは，指定された時間を備え，前記通信デバイスは，前記識別されたグループのメンバーである，
　前記指定された時間の発生に基づき，前記ＥＭＭブロードキャストウィンドウ中に前記ＥＭＭの有無についてリッスンするために前記無線デバイスによってブロードキャストチャネルに同調することと，
　前記ＥＭＭブロードキャストウィンドウ中に前記配信システムから前記ＥＭＭを受信すること，とを備える，方法。」
　
第３．引用刊行物に記載の発明
　一方，原審が，平成２４年４月４日付けの拒絶理由（以下，これを「原審拒絶理由」という）において引用した，本願の第１国出願前に既に公知である，国際公開第２００５／０９１６３５号（２００５年９月２９日公開，以下，これを「引用刊行物１」という）には，関連する図面と共に，次の事項が記載されている。
　
Ａ．「
The EMM transmission time controller26 in the service provider's subscription authorisation system25 provides time information defining the time at which a future EMM message will be transmitted (step s100) . For example, the EMM transmission time controller26 provides a schedule of EMM message transmission times over a particular period. This schedule may include the time of the next individual EMM message, i.e. a message sent to the client equipment only, the time of the next group EMM message, i.e. a message sent to the group to which the client equipment belongs and the time of the next broadcast EMM message, i.e. a message sent to all clients
　
The EMM generator27 generates an EMM message (step s101) and applies the received time information to the generated EMM message as a time stamp (step s102), defining the transmission time for the EMM message following the current message, or, in another embodiment, defining transmission times for the next individual, group and broadcast messages
　
The time stamped EMM message is sent to the second transmitter17, from where it is transmitted via the second communications channel18 to the second receiver28
　
On receipt by the second receiver28 (step s104), the signal is demodulated and the EMM message extracted (step s105) and the extracted message is sent to the smart card13 for further processing (step s106). At the same time, the EMM message is also passed to the timing information extractor33 within the timing module30 (step s107). The way in which the timing information is processed will be described in detail below.
　
Once the smart card13 has both the EMM and ECM information, the descrambling of the broadcast stream proceeds in substantially the same way as described above with reference to Figure1.
 The smart card13 uses the ECM and EMM messages to determine whether the subscriber has the right to view the broadcast and if so, to decrypt the control word CW (step s11), which is input to the descrambler14 together with the scrambled broadcast stream to recover the original MPEG-2 encoded broadcast stream (step s12). The encoded stream is decoded in the MPEG-2 decoder15 (step s13), which produces an output signal comprising audio, video and data components for display on the subscriber's television16 
　
 Returning to the operation of the timing module30, 
the timing information extractor33 reads the time stamp on the EMM message (step s108) and passes this to the controller34 (step s109). The controller34 sets the timer35 to a power up time based on the time specified in the timing information (step s110) and instructs the power supply switching module37 to turn off the power supply36 to the receiver circuitry32 (step s111). For example, the power up time takes into account any internal delays in powering up the receiver circuitry32, and is therefore set to be shortly before the indicated EMM transmission time, so that the receiver is fully powered up when the EMM message is sent
 
Referring to Figure6, 
the controller34 periodically checks whether the timer has reached the power up time (step s113). If not, it continues to monitor the timer. When the timer35 reaches the power up time, the controller34 sends a control signal to the power supply switching module37 to turn on the power supply36 to the receiver circuitry32, ready to receive the next EMM message (step s114). The receiver circuitry32 will therefore power up shortly before the EMM message is due to be sent, so minimizing receiver power
 
The EMM transmission time controller26 may generate and the EMM generator27 may include the EMM message transmission time schedule with each EMM message, so that the receiver knows not only the transmission time of the next EMM message but also future transmission times over any predetermined period
（
サービス・プロバイダの加入認証システム２５における，ＥＭＭ送信時間制御部２６は，将来にＥＭＭメッセージが送信されるであろう時間を定義している，時間情報を提供する（ステップｓ１００）。例えば，ＥＭＭ送信時間制御部２６は，特定の期間にわたるＥＭＭ送信時間の予定を提供する。この予定は，次の独立のＥＭＭメッセージ，即ち，メッセージが，クライアント装置にのみ送られる，時間，次のグループＥＭＭメッセージ，即ち，メッセージが，クライアント装置が属しているグループに送られる，時間，及び，次のブロードキャストＥＭＭメッセージ，即ち，メッセージが，全てのクライアントに送られる，時間を含んでいる
　
ＥＭＭ生成部２７は，ＥＭＭメッセージを生成し（ステップｓ１０１），そして，受け取った時間情報を，現在のメッセージに引き続くＥＭＭメッセージのための，送信時間を定義する，或いは，他の実施例では，次の個別，グループ，及び，ブロードキャスト・メッセージのための送信時間を定義しているタイム・スタンプとして，生成したＥＭＭメッセージに適用する
　
タイム・スタンプが付与されたＥＭＭメッセージは，第２の送信機１７に送られ，そこから，第２の通信チャネル１８を介して，第２の受信器２８に送信される
　
第２の受信器２８による受取りにおいて（ステップｓ１０４），信号は復号され，ＥＭＭメッセージが展開され（ステップｓ１０５），そして，展開されたメッセージは，更なる処理をするために，スマート・カード１３に，送られる（ステップｓ１０６）。同時に，ＥＭＭメッセージは，タイミング・モジュール３０の中で，タイミング情報展開部３３にもまた，渡される（ステップｓ１０７）。タイミング情報が，処理される方法は，以下に詳述する。
　
スマート・カード１３が，ＥＭＭと，ＥＣＭ情報の両方を持つと，ブロードキャスト・ストリームのデスクランブルは，大体は，図１を参照して，上で述べたような，同じ手法で，進む。
スマート・カード１３は，加入者が，放送を視聴する権利を有しているかどうか，そして，もしそうなら，ブロードキャスト・ストリームを符号化したオリジナルのＭＰＥＧ−２に戻すために（ステップｓ１２），スクランブルされたブロードキャスト・ストームと共に，デスクランブラ１４に入力される，制御語ＣＷを復号するために，ＥＣＭと，ＥＭＭメッセージを用いる（ステップｓ１１）。符号化されたストリームは，加入者のテレビに表示するために（ステップｓ１４），オーディオ，ビデオ，及び，データ・コンポーネントから成る出力信号を生成する，ＭＰＥＧ−２デコーダ１５において，復号化される
　
タイミング・モジュール３０の処理に戻ると，
タイミング情報展開部３３は，ＥＭＭメッセージ上のタイム・スタンプを読み（ステップｓ１０８），これを，コントローラ３４に渡す（ステップｓ１０９）。コントローラ３４は，タイミング情報に指定された時間に基づいて，電源投入時間を，タイマ３５にセットし（ステップｓ１１０），受信器回路３２の，電源３６を止めるように，電源スイッチング・モジュール３６に指示する（ステップｓ１１１）。例えば，電源投入時間は，受信器回路３２に電源を入れるための，任意の遅延時間を考慮し，そして，それ故，示されたＥＭＭ送信時間の，直前に，設定される。それ故，受信器は，ＥＭＭメッセージが送信される時に，完全に電源が入っている
　
図６を参照すると，
コントローラ３４は，タイマが，電源投入時間に至っていないかどうかを，定期的に確認する（ステップｓ１１３），もし，至っていなければ，それは，タイマを監視することを継続する。タイマ３５が，電源投入時間に到達すると，コントローラ３４は，次のＥＭＭメッセージが受信出来るよう，受信器回路３２における，電源３６を起動するために，電源スイッチング・モジュール３７に制御信号を送信する（ステップｓ１１４）。したがって，受信器回路３２は，受信器の電力が最少となるように，ＥＭＭメッセージが送られる予定の直前に，電源投入されるであろう
　
ＥＭＭ送信時間制御部２６が生成し，ＥＭＭ生成部２７が，ＥＭＭメッセージのそれぞれに，ＥＭＭメッセージ送信時間の予定を含ませ得るので，それ故，受信器は，次のＥＭＭメッセージの送信時間だけでなく，任意の予め定められた期間に渡っての，将来の送信時間も知っている
　
１．上記Ａの「The EMM transmission time controller26 in the service provider's subscription authorisation system25 provides time information defining the time at which a future EMM message will be transmitted (step s100) . For example, the EMM transmission time controller26 provides a schedule of EMM message transmission times over a particular period. This schedule may include the time of the next individual EMM message, i.e. a message sent to the client equipment only, the time of the next group EMM message, i.e. a message sent to the group to which the client equipment belongs and the time of the next broadcast EMM message, i.e. a message sent to all clients. （サービス・プロバイダの加入認証システム２５における，ＥＭＭ送信時間制御部２６は，将来にＥＭＭメッセージが送信されるであろう時間を定義している，時間情報を提供する（ステップｓ１００）。例えば，ＥＭＭ送信時間制御部２６は，特定の期間にわたるＥＭＭ送信時間の予定を提供する。この予定は，次の独立のＥＭＭメッセージ，即ち，メッセージが，クライアント装置にのみ送られる，時間，次のグループＥＭＭメッセージ，即ち，メッセージが，クライアント装置が属しているグループに送られる，時間，及び，次のブロードキャストＥＭＭメッセージ，即ち，メッセージが，全てのクライアントに送られる，時間を含んでいる。）」という記載において，「サービス・プロバイダの加入認証システムにおける，ＥＭＭ送信時間制御部」とは，“サービス・プロバイダ加入装置の一部”，即ち，“サービス・プロバイダ側の装置”と言い得るものであるから，上記引用のＡの記載内容から，引用刊行物１においては，
“サービス・プロバイダ側の装置は，クライアント装置が属しているグループに送られる，ＥＭＭメッセージ送信時間の予定を提供する”ことが読み取れる。
　
２．上記Ａの「The EMM generator27 generates an EMM message (step s101) and applies the received time information to the generated EMM message as a time stamp (step s102), defining the transmission time for the EMM message following the current message, or, in another embodiment, defining transmission times for the next individual, group and broadcast messages.（ＥＭＭ生成部２７は，ＥＭＭメッセージを生成し（ステップｓ１０１），そして，受け取った時間情報を，現在のメッセージに引き続くＥＭＭメッセージのための，送信時間を定義する，或いは，他の実施例では，次の個別，グループ，及び，ブロードキャスト・メッセージのための送信時間を定義しているタイム・スタンプとして，生成したＥＭＭメッセージに適用する。）」という記載において，「ＥＭＭ生成部」は，“サービス・プロバイダ側の装置”に含まれるものであることは明らかであり，上記引用の記載中の「時間情報」とは，上記１．において検討した“ＥＭＭメッセージ送信時間の予定”を意味するものであるから，引用刊行物１においては，
“サービス・プロバイダ側の装置において，ＥＭＭ生成部は，ＥＭＭメッセージを生成し，ＥＭＭメッセージ送信時間の予定を，ＥＭＭメッセージに適用する”ものであることが読み取れる。
　
３．上記Ａの「The time stamped EMM message is sent to the second transmitter17, from where it is transmitted via the second communications channel18 to the second receiver28 （タイム・スタンプが付与されたＥＭＭメッセージは，第２の送信機１７に送られ，そこから，第２の通信チャネル１８を介して，第２の受信器２８に送信される）」という記載と，上記２．において検討した事項から，「タイムスタンプが付与されたＥＭＭメッセージとは，“ＥＭＭメッセージ送信時間の予定を付与されたＥＭＭメッセージ”であって，「第２の送信機１７」が，“サービス・プロバイダ側の装置”に含まれること，及び，「第２の受信器２８」が，「クライアント装置」に含まれることは明らかであるから，上記引用の記載から，引用刊行物１においては，
“ＥＭＭメッセージ送信時間の予定を付与されたＥＭＭメッセージが，サービス・プロバイダ側の装置から，通信チャネルを介して，クライアント装置に送信される”ものであることが読み取れる。
　
４．上記Ａの「the timing information extractor33 reads the time stamp on the EMM message (step s108) and passes this to the controller34 (step s109). The controller34 sets the timer35 to a power up time based on the time specified in the timing information (step s110) and instructs the power supply switching module37 to turn off the power supply36 to the receiver circuitry32 (step s111). For example, the power up time takes into account any internal delays in powering up the receiver circuitry32, and is therefore set to be shortly before the indicated EMM transmission time, so that the receiver is fully powered up when the EMM message is sent（タイミング情報展開部３３は，ＥＭＭメッセージ上のタイム・スタンプを読み（ステップｓ１０８），これを，コントローラ３４に渡す（ステップｓ１０９）。コントローラ３４は，タイミング情報に指定された時間に基づいて，電源投入時間を，タイマ３５にセットし（ステップｓ１１０），受信器回路３２の，電源３６を止めるように，電源スイッチング・モジュール３７に指示する（ステップｓ１１１）。例えば，電源投入時間は，受信器回路３２に電源を入れるための，任意の遅延時間を考慮し，そして，それ故，示されたＥＭＭ送信時間の，直前に，設定される。それ故，受信器は，ＥＭＭメッセージが送信される時に，完全に電源が入っている）」という記載において，「タイミング情報展開部３３」，「コントローラ３４」，「電源スイッチング・モジュール３７」，及び，「タイマ３５」，並びに，「受信器」は，「クライアント装置」に含まれ，「受信器回路３２」，「電源３６」は，「受信器」に含まれるものであることは明らかであり，上記引用の記載中の「タイミング情報」とは，上記３において検討した“ＥＭＭメッセージ送信時間の予定”であるから，上記引用の記載，及び，上記検討事項から，引用刊行物１においては，
“クライアント装置のタイミング情報展開部は，受信したＥＭＭメッセージに付与された，ＥＭＭメッセージ送信時間の予定を，コントローラに渡し，前記コントローラは，前記ＥＭＭメッセージ送信時間の予定に指定された時間に基づいて，受信器回路に電源を入れるための，前記ＥＭＭメッセージ送信時間の，直前に設定される電源投入時間をタイマにセットし，受信器回路の電源を止めるように，電源スイッチング・モジュールに指示する”ものであることが読み取れる。
　
５．上記Ａの「the controller34 periodically checks whether the timer has reached the power up time (step s113). If not, it continues to monitor the timer. When the timer35 reaches the power up time, the controller34 sends a control signal to the power supply switching module37 to turn on the power supply36 to the receiver circuitry32, ready to receive the next EMM message (step s114). The receiver circuitry32 will therefore power up shortly before the EMM message is due to be sent, so minimizing receiver power.（コントローラ３４は，タイマが，電源投入時間に至っていないかどうかを，定期的に確認する（ステップｓ１１３），もし，至っていなければ，それは，タイマを監視することを継続する。タイマ３５が，電源投入時間に到達すると，コントローラ３４は，次のＥＭＭメッセージが受信出来るよう，受信器回路３２における，電源３６を起動するために，電源スイッチング・モジュール３７に制御信号を送信する（ステップｓ１１４）。したがって，受信器回路３２は，受信器の電力が最少となるように，ＥＭＭメッセージが送られる予定の直前に，電源投入されるであろう。）」という記載と，上記４．において検討した事項から，引用刊行物１においては，
“コントローラは，タイマが，電源投入時間に至っていないかを，定期的に監視し，前記タイマが，電源投入時間に到達すると，前記コントローラは，次のＥＭＭメッセージが受信できるよう，受信器回路の電源を起動するために，電源スイッチング・モジュールに制御信号を送信する”ものであることが読み取れる。
　
６．上記Ａの「The EMM transmission time controller26 may generate and the EMM generator27 may include the EMM message transmission time schedule with each EMM message, so that the receiver knows not only the transmission time of the next EMM message but also future transmission times over any predetermined period.（ＥＭＭ送信時間制御部２６が生成し，ＥＭＭ生成部２７が，ＥＭＭメッセージのそれぞれに，ＥＭＭメッセージ送信時間の予定を含ませ得るので，それ故，受信器は，次のＥＭＭメッセージの送信時間だけでなく，任意の予め定められた期間に渡っての，将来の送信時間も知っている。）」という記載と，上記１．〜５．において検討した事項から，引用刊行物１においては，
“サービス・プロバイダ側の装置が，ＥＭＭメッセージのそれぞれに，ＥＭＭメッセージ送信時間の予定を付与するので，クライアント装置は，次のＥＭＭメッセージの送信時間だけでなく，任意の予め定められた期間における，前記送信時間を知り得る”ものであることが読み取れる。
　
７．上記Ａの「The smart card13 uses the ECM and EMM messages to determine whether the subscriber has the right to view the broadcast and if so, to decrypt the control word CW (step s11), which is input to the descrambler14 together with the scrambled broadcast stream to recover the original MPEG-2 encoded broadcast stream (step s12). The encoded stream is decoded in the MPEG-2 decoder15 (step s13), which produces an output signal comprising audio, video and data components for display on the subscriber's television16 （スマート・カード１３は，加入者が，放送を視聴する権利を有しているかどうか，そして，もしそうなら，ブロードキャスト・ストリームを符号化したオリジナルのＭＰＥＧ−２に戻すために（ステップｓ１２），スクランブルされたブロードキャスト・ストームと共に，デスクランブラ１４に入力される，制御語ＣＷを復号するために，ＥＣＭと，ＥＭＭメッセージを用いる（ステップｓ１１）。符号化されたストリームは，加入者のテレビに表示するために（ステップｓ１４），オーディオ，ビデオ，及び，データ・コンポーネントから成る出力信号を生成する，ＭＰＥＧ−２デコーダ１５において，復号化される）」という記載，及び，上記Ａの他の記載内容から，「スマート・カード１３」は，“クライアント装置”に含まれるものであり，「加入者」とは，該“クライアント装置”を有するもの，或いは，“クライアント装置”の“使用者”であることは明らかであって，上記引用記載における「ＣＷ」は，「スクランブルされたブロードキャスト・ストリーム」を，“デスクランブルする”ために用いられるものであり，「ＥＣＭメッセージ」と，「ＥＭＭメッセージ」とは，前記「ＣＷ」を復号するために用いられるものであって，前記「スクランブルされたブロードキャスト・ストリーム」には，「ビデオ」，「オーディオ」が含まれているものであることは明らかである。よって，以上検討した事項から，引用刊行物１は，
“クライアント装置において受信した，ビデオ，オーディオ・データを含むスクランブルされたブロードキャスト・ストリームをデスクランブルするためのＣＷを復号するためにＥＣＭメッセージ，及び，ＥＭＭメッセージを使用する方法”に関連するものであることが読み取れる。
　
　以上１．〜７．において検討した事項から，引用刊行物１には，次の発明（以下，これを「引用発明」という）が記載されているものと認める。
　
“クライアント装置において受信した，ビデオ，オーディオ・データを含むスクランブルされたブロードキャスト・ストリームをデスクランブルするためのＣＷを復号するためにＥＣＭメッセージ，及び，ＥＭＭメッセージを使用する方法であって，
　サービス・プロバイダ側の装置は，クライアント装置が属しているグループに送られる，ＥＭＭメッセージ送信時間の予定を提供し，
　前記サービス・プロバイダ側の装置において，ＥＭＭ生成部は，前記ＥＭＭメッセージを生成し，前記ＥＭＭメッセージ送信時間の予定を，前記ＥＭＭメッセージに適用し，
　前記ＥＭＭメッセージ送信時間の予定を付与された前記ＥＭＭメッセージが，前記サービス・プロバイダ側の装置から，通信チャネルを介して，クライアント装置に送信され，
　前記クライアント装置のタイミング情報展開部は，受信した前記ＥＭＭメッセージに付与された，前記ＥＭＭメッセージ送信時間の予定を，コントローラに渡し，前記コントローラは，前記ＥＭＭメッセージ送信時間の予定に指定された時間に基づいて，受信器回路に電源を入れるための，前記ＥＭＭメッセージ送信時間の，直前に設定される電源投入時間をタイマにセットし，前記受信器回路の電源を止めるように，電源スイッチング・モジュールに指示し，
　前記コントローラは，前記タイマが，前記電源投入時間に至っていないかを，定期的に監視し，前記タイマが，前記電源投入時間に到達すると，前記コントローラは，次のＥＭＭメッセージが受信できるよう，前記受信器回路の電源を起動するために，前記電源スイッチング・モジュールに制御信号を送信するものであって，
　前記サービス・プロバイダ側の装置が，ＥＭＭメッセージのそれぞれに，ＥＭＭメッセージ送信時間の予定を付与するので，前記クライアント装置は，前記次のＥＭＭメッセージの送信時間だけでなく，任意の予め定められた期間における，前記送信時間を知り得るものである，方法。”
　
第４．本願発明と引用発明との対比
１．引用発明においても，「クライアント装置」の「コントローラ」は，「次のＥＭＭメッセージが受信できるよう，前記受信器回路の電源を起動するために，前記電源スイッチング・モジュールに制御信号を送信する」ものあって，該「制御信号」によって，「受信器回路」の「電源」がＯＮになって，「ＥＭＭ」を受信するのであるから，
　引用発明における「クライアント装置」，「サービス・プロバイダ側の装置」が，本願発明における「通信デバイス」，「配信システム」に相当し，
　したがって，上記指摘の一連の操作が，本願発明における「通信デバイスが通信システムにおいてエンタイトルメントマネージメントメッセージ（ＥＭＭ）を入手するための方法」に相当する。
　
２．本願発明における「ＥＭＭブロードキャストウィンドウ」が，「ＥＭＭ」を受信する時間を指定する情報であることから，
　引用発明における「ＥＭＭメッセージ送信時間の予定」が，本願発明における「ＥＭＭブロードキャストウィンドウ」に相当し，
　引用発明において，「クライアント装置のタイミング情報展開部は，受信した前記ＥＭＭメッセージに付与された，前記ＥＭＭメッセージ送信時間の予定を，コントローラに渡し」ていることから，引用発明において，“クライアント装置は，ＥＭＭメッセージ送信時間の予定を受信する”ことは明らかであって，
　引用発明においても，「クライアント装置」が，“グループに属する”態様を含んでいるので，
　引用発明は，“クライアント装置が，該クライアント装置の属するグループについての，ＥＭＭメッセージ送信時間の予定を受信する”構成を有するものであり，このことと，
　本願発明における「通信デバイスにおいて及び配信システムから，通信デバイスの複数のグループのうちの識別されたグループのためのＥＭＭブロードキャストウィンドウを受信すること」とは，
“通信デバイスにおいて及び配信システムから，通信デバイスの所定のグループのためのＥＭＭブロードキャストウィンドウを受信する”ことである点で共通する。
　
３．上記２．において検討したとおり，引用発明において，「クライアント装置」は，「グループ」に属しているので，“グループのメンバー”であることは明らかである。
　よって，以上検討した引用発明の構成と，
　本願発明における「ＥＭＭブロードキャストウィンドウは，指定された時間を備え，前記通信デバイスは，前記識別されたグループのメンバーである」こととは，
“ＥＭＭブロードキャストウィンドウは，指定された時間を備え，通信デバイスは，グループのメンバーである”点で共通する。
　
４．引用発明における「電源投入時間に到達する」が，本願発明における「指定された時間の発生に基づき」に相当し，引用発明における「ＥＭＭメッセージが受信できるよう，前記受信器回路の電源を起動する」ことは，「起動」することによって，「受信器」が，「ＥＭＭ」を受信できるようになるのであるから，本願発明における「無線デバイスによってブロードキャストチャネルに同調すること」に相当するので，
　引用発明における「前記コントローラは，前記タイマが，前記電源投入時間に至っていないかを，定期的に監視し，前記タイマが，前記電源投入時間に到達すると，前記コントローラは，次のＥＭＭメッセージが受信できるよう，前記受信器回路の電源を起動するために，前記電源スイッチング・モジュールに制御信号を送信する」ことが，
　本願発明における「前記指定された時間の発生に基づき，前記ＥＭＭブロードキャストウィンドウ中に前記ＥＭＭの有無についてリッスンするために前記無線デバイスによってブロードキャストチャネルに同調すること」に相当する。
　
５．引用発明おいても，“受信器回路の電源が起動されることで，ＥＭＭが受信可能，即ち，受信器によってＥＭＭが受信される”ことは明らかであるから，このことが，
　本願発明における「ＥＭＭブロードキャストウィンドウ中に前記配信システムから前記ＥＭＭを受信すること」に相当する。
　
　以上，１．〜５．において検討した事項から，本願発明と，引用発明との，一致点，及び，相違点は，次のとおりである。
　
［一致点］
　通信デバイスが通信システムにおいてエンタイトルメントマネージメントメッセージ（ＥＭＭ）を入手するための方法であって，
　通信デバイスにおいて及び配信システムから，通信デバイスの所定のグループのためのＥＭＭブロードキャストウィンドウを受信することと，
　ここにおいて，ＥＭＭブロードキャストウィンドウは，指定された時間を備え，通信デバイスは，グループのメンバーである，
　前記指定された時間の発生に基づき，前記ＥＭＭブロードキャストウィンドウ中に前記ＥＭＭの有無についてリッスンするために前記無線デバイスによってブロードキャストチャネルに同調すること，
　ＥＭＭブロードキャストウィンドウ中に前記配信システムから前記ＥＭＭを受信すること，とを備える方法。
　
［相違点１］　　　
“所定のグループ”に関して
　本願発明においては，「通信デバイスの複数のグループのうちの識別されたグループ」であるのに対して，
　引用発明においては，「グループ」が，「識別された」ものであるかが，明確ではない点。
　
［相違点２］
“グループのメンバーである”ことに関して
　本願発明においては，「識別されたグループのメンバーである」のに対して，
　引用発明においては，「クライアント装置」が，どのような「グループ」に属しているのか，明確ではない点。
　
第５．相違点についての当審の判断
・［相違点１］，及び，［相違点２］について
　受信機側の識別するための情報を用いて，受信機をグループ化して，前記情報を用いて，該グループを識別するようなことは，
原審拒絶理由に引用された，本願の第１国出願前に既に公知である，「西本友成ほか，狭帯域放送のためのアクセス制御方式，映像情報メディア学会誌，日本，（社）映像情報メディア学会，２００７年　５月　１日，第61巻,第5号，P.674-680」（以下，これを「引用刊行物２」という）に，
　
Ｂ．「次に，本方式の詳細について述べる．
複数の受信機をグループ化し，グループＩＤを割当てる
受信機では
暗号化したすべての共通情報を復号し
受信機のグループＩＤと一致する時に，ビット列化された契約情報から自分宛の契約情報のみを取得する
　さらに，複数の音声を提供し音声毎にアクセス制御する場合や番組のジャンル毎でアクセス制御する場合などには，一つの編成チャネル内で，複数のサービスに対してアクセス制御できる必要がある．そのため，アクセス制御したいそれぞれのサービスに対して，サービスＩＤを割当てサービス毎に契約情報を送出する．受信機では，暗号化したすべての共通情報を復号し，自分宛の契約情報のみをサービス毎に取得する．また，システム鍵は，システムに固有の鍵であり，数種類のみを用意する．」（６７６頁右欄３行〜６７７頁左欄２行）
　
　と記載されてもいるように，本願の第１国出願前に，当業者には，広く知られた技術事項であり，引用発明も，引用刊行物２に記載の発明も，本願発明と同様に，送信側から，受信側に対して，ＥＭＭを送信する技術に関するものであるから，
　引用発明における「グループ」に，引用刊行物２に記載の発明における「ＩＤ」を適用して，前記「グループ」を識別するよう構成することは，当業者が適宜なし得る事項である。
　よって，相違点１，及び，相違点２は，格別のものでない。
　
　上記で検討したごとく，相違点１，及び，相違点２はいずれも格別のものではなく，そして，本願発明の構成によってもたらされる効果も，当業者であれば容易に予測できる程度のものであって，格別なものとは認められない。
　
第６．むすび
　したがって，本願発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。